(57)【要約】【課題】  ディスプレイとして、後続車両のドライバーなどが視認できるようにした自動車用アクセサリーを提供する。【解決手段】  自動車の後部内面（リヤウインドガラス）に吸盤等を介して着脱自在に固定されるボックス２と、ボックス２の後部開口を開閉するためのカーテン６と、自動車のブレーキランプ配線に接続し、ランプオンによりカーテンを開き、所定時間経過後にカーテンを閉鎖する開閉駆動機構とを備えたものである。【選択図】    図４
0003106566.tif 000002
【実用新案登録請求の範囲】
【請求項１】
自動車の後部に着脱自在に固定されるボックスと、ボックスの後部開口を開閉するためのカーテンと、自動車のブレーキランプ配線に接続し、ランプオンによりカーテンを開き、所定時間経過後にカーテンを閉鎖する開閉駆動機構とを備えたことを特徴とする自動車用アクセサリー。
【請求項２】
前記ボックスの開口周囲に配置され、前記ブレーキランプ点灯に連動して点滅する複数のランプを備えたことを特徴とする請求項１に記載の自動車用アクセサリー。
【請求項３】
前記ボックス内部をぬいぐるみ人形などの収容空間としたことを特徴とする請求項１又は２記載の自動車用アクセサリー。
【考案の詳細な説明】
【技術分野】
【０００１】
本考案は、渋滞時や駐車時などにおいて、ブレーキをかけた場合に後続車両などに対するアピール性が高く、しかも後続するドライバーになごみや、興味を喚起させる機能ももたらすことができるハイマウントストップランプ兼用の表示装置としての自動車用アクセサリーに関する。
【背景技術】
【０００２】
道路の渋滞時においては、頻繁にブレーキをかけて一時停車することが行われ、停車時間が長いと、ドライバーにとっては退屈であるし、思うように進まないため、ストレスを溜める原因となることが多い。
【０００３】
特に前方車両がハイマウントストップランプを装備した自動車の場合、このランプの設置目的が後続車に対するアピール性の高さであるが故に、前方車両がブレーキをかける毎に後続ドライバーには直接そのランプの点灯状態が目に飛込み、目の疲れの原因ともなる。
【考案の開示】
【考案が解決しようとする課題】
【０００４】
以上のごとく、退屈や、これを起因とするストレス、目の疲れなどをいやす手段としては、思わぬ景色や非日常的な出来事をかいま見れることである。
【０００５】
本考案は以上の着想に基づきなされたものであり、その目的とするところは単なるハイマウントストップランプとしてでなくディスプレイとして、後続車両のドライバーが視認できるようにした自動車用アクセサリーを提供するものである。
【課題を解決するための手段】
【０００６】
前記目的を達成するため、本考案は、自動車の後部内面（リヤウインドガラス）などに吸盤等を介して着脱自在に固定されるボックス２と、ボックス２の後部開口を開閉するためのカーテン６と、自動車のブレーキランプ配線に接続し、ランプオンによりカーテンを開き、所定時間経過後にカーテンを閉鎖する開閉駆動機構とを備えたことを特徴とする自動車用アクセサリー１にある。
【０００７】
前記ボックス２の開口周囲には、前記ブレーキランプ点灯に連動して点滅する複数のランプ５を備えることができる。
【０００８】
また、本考案では前記ボックス２内部をぬいぐるみなどの人形９の収容空間としたことを特徴とするものである。
【考案の効果】
【０００９】
以上の構成によれば、ランプ点灯により、後続のドライバーは前方車両がブレーキをかけたことを確認できるとともに、カーテンが開くことにより、非日常空間としてのボックス２の内部を覗き見ることができる。このようなカーテンの開閉やランプの点灯は、駐車場などにおける駐車時にも行われる。カーテンの開閉は、左右横方向のみならず、上下方向としてもよい。
【００１０】
請求項３では、カーテンが開くことでボックス２内は人形などがおかれる小劇場に変換するため、更に目立つものとなる。
【考案を実施するための最良の形態】
【００１１】
以下、本考案の好適な実施の形態につき、添付図面を参照して詳細に説明する。
図１は本考案に係る自動車用アクセサリーの斜視図を示し、図において、この自動車用アクセサリー１は、後面開口したボックス２と、ボックス２の両側にＬ字形をなして固定された固定用アーム３と、アーム３の先端に固定されたガラス面固定用の吸盤４と、ボックス２の上部に沿って埋込み固定された複数のＬＥＤランプ５と、ボックス１の開口部両側に配置され、かつ図示しないカーテン駆動機構に連動して開閉する両開き式カーテン６と、電源取込み用のシガープラグ７及びブレーキランプの配線に接続するスイッチとしてのリード線８とを備えている。ボックス２内には、複数のぬいぐるみ人形９などのキャラクターが適宜なポーズで収装されている。
【００１２】
図２、図３は、同アクセサリー１の回路構成及びその処理手順を示し、電源１０から供給された電力と、ブレーキランプの入力状態をスイッチとしてタイマー１１が作動し、ランプ点灯回路１２を介して前記ランプ５を点灯するとともに、前記カーテン駆動機構に連動するモータ１４により閉鎖状態のカーテン６が開き、ボックス１を開口するようになっており、タイマー１０の作用により所定時間経過後あるいはブレーキ解除によりモータ１２を逆転させてカーテンを閉じ、またランプ５を消灯させるようになっている。
【００１３】
図４は以上のアクセサリー１をハッチバックタイプの自動車２０のリアパーセル上にあって、リアウインドガラス２０ａの内面に自動車の内部から吸盤４を介して固定した場合の後続車両からの観察状態を示すもので、自動車２０が走っている状態では（ａ）に示すように、ボックス２のカーテン６は閉じた状態に保持され、停車時のブレーキの踏込みによりブレーキランプ２０ｂが点灯するとともに、ランプ５が点灯し、これをハイマウントストップランプとして機能させるとともに、（ｂ）に示すように、カーテン６が徐々に開き、開ききった状態では（ｃ）に示すように、ボックス１内部に収装されたぬいぐるみ人形９を後続車両のドライバーに見せる。
【００１４】
その後は、タイマー１１によって設定された時間経過後はランプ５は消灯し、カーテン６も閉じる。また、ブレーキ解除によっても同じくランプ５は消灯し、カーテン６も閉じる。
【００１５】
以上により、後続車のドライバーは、ランプ５により、注意を喚起されると同時に、カーテン開閉によりディスプレイ的な風景を目視することができ、これにより一種の癒し的な効果を得られることができるのである。路上や駐車場などにおける停車時にも同様の効果がある。
【００１６】
なお、実施形態では、ランプ５の点灯と、カーテン６の開幕動作とを同時に行ったが、完全開幕した後にランプ５を点灯させてもよい。また、停車中の時間経過でランプの消灯と、カーテン６閉幕を行ったが、停車中ランプ５のみ点灯を継続させてもよい。更に、夜間などにおいては、ボックス２内部に照明具などを点灯させるようにすることで、夜間時の視認性も向上する。
【図面の簡単な説明】
【００１７】
【図１】本考案に係る自動車用アクセサリーの斜視図である。
【図２】同表示装置の回路ブロック図である。
【図３】同表示装置による処理手順を示すフローチャートである。
【図４】（ａ）〜（ｃ）は同外部アクセサリーの動作形態を示す説明図である。
【符号の説明】
【００１８】
１  自動車用外部アクセサリー
２  ボックス
４  吸盤
５  ランプ
６  カーテン
９  人形
２０  自動車
２０ａ  リアウインドガラス
２０ｂ  ブレーキランプ
【図１】
0003106566.tif 000003
【図２】
0003106566.tif 000004
【図３】
0003106566.tif 000005
【図４】
0003106566.tif 000006